(57)【要約】【課題】純度の高い光を出射することができ、再現性に優れた高品位な画像を得ることが可能なプリントヘッドや画像表示装置などを構成するのに好適な有機ＥＬ発光装置を提供する。【解決手段】複数の有機ＥＬ発光部１１として、赤色光、緑色光、および青色光をそれぞれ個々に発する赤色発光部１１Ｒ、緑色発光部１１Ｇ、および青色発光部１１Ｂを有している、有機ＥＬ発光装置Ａ１であって、複数の有機ＥＬ発光部１１において発生された光から、赤色光および緑色光の中間波長域の光と、緑色光および青色光の中間波長域の光との少なくとも一方を吸収する光吸収手段を備えている。この光吸収手段は、たとえば基板１０に光吸収剤を分散混入させることにより構成される。【選択図】  図１
2006310075.tif 000002
【特許請求の範囲】
【請求項１】
複数の有機ＥＬ発光部として、赤色光、緑色光、および青色光をそれぞれ個々に発する赤色発光部、緑色発光部、および青色発光部を有している、有機ＥＬ発光装置であって、
上記複数の有機ＥＬ発光部において発生された光から、上記赤色光および上記緑色光の中間波長域の光と、上記緑色光および上記青色光の中間波長域の光との少なくとも一方を吸収する光吸収手段を備えていることを特徴とする、有機ＥＬ発光装置。
【請求項２】
上記光吸収手段は、５５０〜６００ｎｍの波長範囲に吸収波長のピークがある第１の光吸収帯域と、４９０〜５１５ｎｍの波長範囲に吸収波長のピークがある第２の光吸収帯域とを有している、請求項１に記載の有機ＥＬ発光装置。
【請求項３】
上記複数の有機ＥＬ発光部は、基板上に形成されているとともに、上記複数の有機ＥＬ発光部から発せられた光はこの基板を透過するように構成されており、
上記基板中には、光吸収剤が分散されていることにより、上記基板が上記光吸収手段として構成されている、請求項１または２に記載の有機ＥＬ発光装置。
【請求項４】
上記複数の有機ＥＬ発光部は、基板上に形成されているとともに、上記複数の有機ＥＬ発光部から発せられた光はこの基板を透過するように構成されており、
上記基板の光出射面には、上記光吸収手段が積層して設けられている、請求項１または２に記載の有機ＥＬ発光装置。
【請求項５】
感光性記録媒体に光を照射して画像を形成するための有機ＥＬプリントヘッドとして構成され、または画像を表示するための有機ＥＬ表示装置として構成されている、請求項１ないし４のいずれかに記載の有機ＥＬ発光装置。
【請求項６】
赤色光、緑色光、または青色光を発する有機ＥＬ発光部を備えている、有機ＥＬ発光装置であって、
上記有機ＥＬ発光部において発生された光から、この光のピーク波長域とは相違する裾領域の波長域の光を吸収する光吸収手段を備えていることを特徴とする、有機ＥＬ発光装置。
【発明の詳細な説明】
【技術分野】
【０００１】
本発明は、感光方式のプリントヘッドや画像表示装置などとして構成される有機ＥＬ発光装置に関する。
【背景技術】
【０００２】
近年、感光方式のプリントヘッドや画像表示装置の発光手段として、有機ＥＬを利用したものが普及しつつある。有機ＥＬは、有機蛍光体を含む発光層が陰極および陽極間に挟まれた基本構造を有しており、陰極および陽極を利用して与えられる電場によって発光層（有機蛍光体）が発光する（たとえば特許文献１〜３を参照）。このため、有機ＥＬは、低電圧駆動が可能であり、また応答性に優れる利点がある。
【０００３】
このような有機ＥＬを利用して、感光方式のカラープリントヘッドを構成する場合、赤色、緑色、および青色の３原色の光をそれぞれ出射可能な複数の有機ＥＬ発光部を設けることとなる。この場合において、カラープリント画像の画質を高めるには、各有機ＥＬ発光部から半値幅の小さい高純度の３原色の光を出射させる必要がある。
【０００４】
しかしながら、有機ＥＬは、既述したとおり、有機蛍光体を発光させるために、その出射光の純度は有機蛍光体の性質に依存しており、たとえばＬＥＤと比較すると、出射光の半値幅は大きく、色純度が低いものとなる特有の問題点があった。具体的には、たとえば図２（ａ）に示すように、有機ＥＬから発せられる赤色光ＳＲ、緑色光ＳＧ、および青色光ＳＢのそれぞれは、それらのピーク波長に対して短波長側よりも長波長側の方が発光強度が高くなる傾向にあり、半値幅が大きいものとなっていた。このため、同図（ｂ）に示すように、赤色光ＳＲ、緑色光ＳＧ、および青色光ＳＢを合成した場合には、赤と緑との中間波長域、および緑と青との中間波長域の発光強度が比較的高くなる。したがって、従来の有機ＥＬを利用したプリントヘッドや画像表示装置においては、プリント画像あるいは表示画像の再現性がやや劣るものとなっており、高品位な画像を得る上で、未だ改善の余地があった。
【０００５】
【特許文献１】特開２００３−９４７２９号公報
【特許文献２】特開平１１−９５７２３号公報
【特許文献３】特開平９−２１２１２８号公報
【発明の開示】
【発明が解決しようとする課題】
【０００６】
本発明は、上記した事情に鑑みてなされたものであって、純度の高い光を出射することができ、再現性に優れた高品位な画像を得ることが可能なプリントヘッドや画像表示装置などを構成するのに好適な有機ＥＬ発光装置を提供することを、その課題としている。
【課題を解決するための手段】
【０００７】
本発明の第１の側面により提供される有機ＥＬ発光装置は、複数の有機ＥＬ発光部として、赤色光、緑色光、および青色光をそれぞれ個々に発する赤色発光部、緑色発光部、および青色発光部を有している、有機ＥＬ発光装置であって、上記複数の有機ＥＬ発光部において発生された光から、上記赤色光および上記緑色光の中間波長域の光と、上記緑色光および上記青色光の中間波長域の光との少なくとも一方を吸収する光吸収手段を備えていることを特徴としている。
【０００８】
このような構成によれば、赤色光および緑色光の中間波長域の光と、緑色光および青色光の中間波長域の光との少なくとも一方の強度が低くなり、赤色光、緑色光、および青色光の全て、あるいはそれらのうちの２つの色彩光の半値幅が小さくなり、光の純度が高められる。その結果、たとえばプリントヘッドあるいは画像表示装置として構成した場合には、プリント画像あるいは表示画像の色の再現性を優れたものとし、高品位の画像を得ることができる。
【０００９】
本発明の好ましい実施の形態においては、上記光吸収手段は、５５０〜６００ｎｍの波長範囲に吸収波長のピークがある第１の光吸収帯域と、４９０〜５１５ｎｍの波長範囲に吸収波長のピークがある第２の光吸収帯域とを有している。
【００１０】
このような構成によれば、ピーク波長が６２０ｎｍ程度の赤色光、５３０ｎｍ程度の緑色光、および４７０ｎｍ程度の青色光のそれぞれの半値幅を小さくし、それら３色の光の純度を高めるのにより好適となる。
【００１１】
本発明の好ましい実施の形態においては、上記複数の有機ＥＬ発光部は、基板上に形成されているとともに、上記複数の有機ＥＬ発光部から発せられた光はこの基板を透過するように構成されており、上記基板中には、光吸収剤が分散されていることにより、上記基板が上記光吸収手段として構成されている。
【００１２】
このような構成によれば、有機ＥＬ発光部のベース部材としての役割を果たす基板が光吸収手段とされているために、その構成は合理的であり、部品点数の増加や全体の大型化を招かないようにすることができる。
【００１３】
本発明の好ましい実施の形態においては、上記複数の有機ＥＬ発光部は、基板上に形成されているとともに、上記複数の有機ＥＬ発光部から発せられた光はこの基板を透過するように構成されており、上記基板の光出射面には、上記光吸収手段が積層して設けられている。この場合、上記光吸収手段は、光吸収剤のコーティング層、あるいはシート状もしくはフィルム状の光吸収フィルタとして構成することができる。
【００１４】
このような構成によれば、基板に光吸収手段を積層させるだけの簡易な構成により、本発明の意図する作用が得られることとなり、その製造は容易である。
【００１５】
本発明の好ましい実施の形態においては、感光記録媒体に光を照射して画像を形成するための有機ＥＬプリントヘッドとして構成され、または画像を表示するための有機ＥＬ表示装置として構成されている。ただし、本発明に係る有機ＥＬ発光装置は、上記以外の装置または機器類として構成することができることは言うまでもない。
【００１６】
本発明の第２の側面により提供される有機ＥＬ発光装置は、赤色光、緑色光、または青色光を発する有機ＥＬ発光部を備えている、有機ＥＬ発光装置であって、上記有機ＥＬ発光部において発生された光から、この光のピーク波長域とは相違する裾領域の波長域の光を吸収する光吸収手段を備えている。
【００１７】
このような構成によれば、有機ＥＬ発光部から発せられる赤色光、緑色光、または青色光の純度を高めることが可能となり、やはりこの有機ＥＬ発光装置を用いてプリントヘッドや画像表示装置を構成した場合には、記録画像または表示画像の品位を高めることができる。
【００１８】
本発明のその他の特徴および利点は、添付図面を参照して以下に行なう発明の実施の形態の説明から、より明らかになるであろう。
【発明を実施するための最良の形態】
【００１９】
以下、本発明の好ましい実施の形態について、図面を参照して説明する。
【００２０】
図1は、本発明に係る有機ＥＬ発光装置の要部の一例を示している。本実施形態の有機ＥＬ発光装置Ａ１は、基板１０、および複数の有機ＥＬ発光部１１を備えている。
【００２１】
複数の有機ＥＬ発光部１１としては、赤色光、緑色光、および青色光をそれぞれ個々に自発光可能な赤色発光部１１Ｒ、緑色発光部１１Ｇ、および青色発光部１１Ｂがある。これらの有機ＥＬ発光部１１は、基板１０の片面上に、透明な陽極１２、複数の有機層１３、および複数の陰極１４を積層することにより形成される。複数の有機層１３どうし、および複数の陰極１４どうしの間には、絶縁層（図示略）が適宜形成されている。
【００２２】
陽極１２は、陰極１４とともに有機層１３の目的部分に電場を与えるためのものであり、たとえばＩＴＯにより形成されている。有機層１３は、陽極１２および陰極１４により電場が与えられた部分が、エレクトロルミネッセントにより自発光するものであり、この有機層１３としては、赤色有機層１３Ｒ、緑色有機層１３Ｇ、および青色有機層１３Ｂがある。これらの有機層１３Ｒ，１３Ｇ，１３Ｂは、有機蛍光体を含んだ発光層（図示略）を有しており、この発光層に含ませる有機蛍光体の種類の選択することにより、それぞれが赤色光、緑色光、および青色光を発するようになっている。陰極１４は、たとえばアルミニウムなどにより形成されており、有機層１３において発生した光を基板１０側に反射させるようになっている。有機ＥＬ発光部１１において発生した光は、基板１０を透過してこの基板１０の片面の光出射面１０ａから外部に出射する。
【００２３】
基板１０は、複数の有機ＥＬ発光部１１を形成するためのベース部材の役割を果たすものである。ただし、本実施形態においては、この基板１０が、本発明の光吸収手段の一例に相当している。この基板１０は、たとえば透明な樹脂板あるいはガラス板を用いて構成されており、その内部には、後述する波長範囲の光を吸収する第１および第２の光吸収剤が分散して混入されている。
【００２４】
第１の光吸収剤は、赤色発光部１１Ｒから発せられる赤色光のピーク波長（たとえば６２０ｎｍ）と、緑色発光部１１Ｇから発せられる緑色光のピーク波長（たとえば５３０ｎｍ）とのそれぞれのピーク波長の中間波長域（図３の符号Ｓ１で示す波長域）の光を吸収するものであり、５５０〜６００ｎｍの波長範囲に吸収波長のピークを有している。第２の光吸収剤は、前述した緑色光のピーク波長と、青色発光部１１Ｂから発せられる青色光のピーク波長（たとえば４７０ｎｍ）とのそれぞれのピーク波長の中間波長域（図３の符号Ｓ２で示す波長域）の光を吸収するものであり、４９０〜５１５ｎｍの波長範囲に吸収波長のピークを有している。これら第１および第２の光吸収剤としては、たとえば有機色素化合物が用いられている。有機色素化合物としては、可視光線中の特定波長域の光のみを吸収する特性をもつものがあり、本実施形態では、このような特性をもつ２種類の有機色素化合物が利用されている。なお、これら第１および第２の光吸収剤は、基板１０の成形用の原材料に予め混入させておき、この原材料を板状に成形して基板１０を作製する手法により、その内部に分散混入されている。
【００２５】
次に、上記した有機ＥＬ発光装置Ａ１の作用について説明する。
【００２６】
まず、各有機ＥＬ発光部１１に電場を付与すると、赤色光、緑色光、および青色光がそれぞれ発せられ、基板１０に入射することとなる。ここで、この基板１０に入射する光は、従来技術において説明した場合と同様に、たとえば図２（ａ）に示したような発光スペクトルとなる。赤色発光部１１Ｒ，緑色発光部１１Ｇ、および青色発光部１１Ｂを同時に駆動させた際の発光スペクトルは、同図（ｂ）に示したようなものとなる。同図から理解されるように、赤色光ＳＲ、緑色光ＳＧ、および青色光ＳＢは、それらの裾領域が一部重なり合い、かつこの重なり合った部分の光の強度は比較的高く、３原色の光の純度が低いものとなっている。
【００２７】
これに対し、基板１０には、既述したように、第１および第２の光吸収剤が分散混入されており、所定の波長範囲の光が吸収される。より具体的には、図３に示すように、赤色発光部１１Ｒから出射した光については、そのピーク波長（６２０ｎｍ）よりも短波長側の裾範囲の光が吸収される。緑色発光部１１Ｇから出射された光については、そのピーク波長（５３０ｎｍ）よりも短波長側および長波長側の双方の裾範囲の光が吸収され、青色発光部１１Ｒから出射された光については、ピーク波長（４７０ｎｍ）よりも長波長側の裾範囲の光が吸収される。このようなことから、この有機ＥＬ発光装置Ａ１においては、基板１０の光出射面１０ａから半値幅の小さい赤色、緑色、および青色の純度の高い光が出射することとなる。
【００２８】
なお、本発明においては、基板に分散混入させる光吸収剤の種類は、有機ＥＬ発光装置から出射される光の特性（たとえば有機蛍光体の種類）に応じて適宜選択すればよい。また、第１および第２の光吸収剤の一方を省略することも可能である。第１および第２の吸収剤に加えて、赤色光のピーク波長（６２０ｎｍ）よりも長波長側の裾範囲の光（たとえば６４０ｎｍ以上）を吸収し、あるいは青色光のピーク波長（４７０ｎｍ）よりも短波長側の裾範囲の光（たとえば４５０ｎｍ以下）を吸収する光吸収剤をさらに追加して用いてもよい。
【００２９】
図４は、本発明の他の実施形態を示している。図４以降の図においては、上記実施形態と同一または類似の要素には、上記実施形態と同一の符号を付している。
【００３０】
図４に示す有機ＥＬ発光装置Ａ２は、基板１０Ａの光出射面１０ａに、光吸収手段としての第１および第２の光吸収層２１，２２が積層して設けられた構成を有している。基板１０Ａは、たとえば透明な樹脂板やガラス板を用いて形成されており、光吸収剤は混入されていない。第１の光吸収層２１は、赤色光と緑色光とのそれぞれのピーク波長どうしの中間波長域の光を吸収するものであり、第２の光吸収層２２は、緑色光と青色光とのそれぞれのピーク波長どうしの中間波長域の光を吸収するものである。これら第１および第２光吸収層２１，２２は、透明母材中に、先に説明した実施形態と同様な第１および第２の光吸収剤を分散混入させたフィルム状またはシート状のものである。
【００３１】
本実施形態の有機ＥＬ発光装置Ａ２においては、複数の有機ＥＬ発光部１１から発せられた光が、第１および第２の光吸収層２１，２２を通過する際に、それらの光のうち、図３に示した中間波長域Ｓ１，Ｓ２の光が順次吸収される。その結果、最終的に得られる光は、図１に示した先の実施形態の場合と同様に、赤色、緑色、および青色の純度が高い光となる。
【００３２】
なお、第１および第２の光吸収層２１，２２は、基板１０Ａに対して図４に示す積層順序とは逆の順序で積層されていてもよい。また、第１および第２の光吸収層２１，２２のいずれか一方を省略することも可能である。さらに、光吸収層は、第１および第２の光吸収剤の双方を同一層に混在させた単一層として形成することもできる。第１および第２の光吸収層２１，２２に加えて、赤色光のピーク波長（６２０ｎｍ）よりも長波長側の裾範囲の光（たとえば６４０ｎｍ以上）を吸収する第３の光吸収層、および青色光のピーク波長（４７０ｎｍ）よりも短波長側の裾範囲の光（たとえば４５０ｎｍ以下）を吸収する第４の光吸収層の双方または一方をさらに追加形成してもよい。光吸収層については、フィルム状またはシート状に形成する手段に代えて、光吸収剤が混入されたペーストを基板１０Ａに直接塗布して硬化させることにより、膜状に構成してもよい。
【００３３】
図５〜図８は、本発明に係る有機ＥＬ発光装置が有機ＥＬプリントヘッドとして構成された場合の一例を示している。本実施形態の有機ＥＬプリントヘッドＡ３は、感光紙Ｋなどの感光性記録媒体にカラープリントを行なうためのものであり、有機ＥＬプリントヘッド基板３１と、レンズアレイ３２とを備えている。
【００３４】
有機ＥＬプリントヘッド基板３１は、レンズアレイ３２に向けてライン状の光を出射するためのものである。図７および図８に示すように、この有機ＥＬプリントヘッド基板３１は、基板１０Ｂと、複数の有機ＥＬ発光部１１とを有しており、これらの基本的な構成は、図１に示した基板１０および複数の有機ＥＬ発光部１１と同様である。したがって、基板１０Ｂには、既述した第１および第２の光吸収材が分散混入されている。基板１０Ｂ上には、複数の有機ＥＬ発光部１１を覆い、これを保護するための封止ケース３８が設けられている。
【００３５】
基板１０Ｂは、長矩形の平板状であり、この基板１０Ｂ上には、３列の陰極１４と有機層１３とがこの基板１０Ｂの長手方向に延びて形成されている。これに対し、複数の陽極１２は、基板１０Ｂの短手方向に延びている。有機層１３のうち、複数の陽極１２と３列の陰極１４とが交差してこれらの間に挟まれた複数の部分が発光可能な領域であり、この部分が有機ＥＬ発光部１１である。複数ずつの赤色発光部１１Ｒ、緑色発光部１１Ｇ、および青色発光部１１Ｂのそれぞれは、基板１０Ｂの長手方向に一定間隔で列状に並んでいる。３列の陰極１４の長手方向端部には、端子用の配線部１４ａが連設されている。これに対し、複数の陽極１２の長手方向一端は、基板１０Ｂ上に搭載されている複数の駆動ＩＣ３４に向けて延びており、これら複数の駆動ＩＣ３４に導通接続されている。これら複数の駆動ＩＣ３４のスイッチング動作により、通電のオン・オフがなされ、複数の有機ＥＬ発光部１１の発光駆動が制御される。
【００３６】
図６および図７に示すように、レンズアレイ３２は、各有機ＥＬ発光部１１から出射してくる光を感光紙Ｋ（図５参照）上に集束させるためのものであり、レンズホルダ３２ａに複数のロッドレンズ３２ｂが列状に配列されて保持された構成を有している。各レンズアレイ３２は、たとえば正立等倍像を結像可能なものである。レンズアレイ３２は、各ロッドレンズ３２ｂのレンズ面が基板１０Ｂを挟んで複数の有機ＥＬ発光部１１に対向するように、有機ＥＬプリントヘッド基板３１に組み付けられている。
【００３７】
この有機ＥＬプリントヘッドＡ３においては、有機ＥＬプリントヘッド基板３１から赤色光、緑色光、および青色光のそれぞれがライン状に出射され、それらのライン状の光がレンズアレイ３２により集束されて感光紙Ｋに照射される。一方、有機ＥＬプリントヘッド基板３１は、複数の有機ＥＬ発光部１１および基板１０Ｂが、図１に示した有機ＥＬ発光装置Ａ１と同様な構成とされている。このため、有機ＥＬプリントヘッド基板３１、ひいては有機ＥＬプリントヘッドＡ３から出射されるライン状の赤色光、緑色光、および青色光のそれぞれは、発光スペクトルにおいて半値幅の小さいものとなる（図３参照）。その結果、感光紙Ｋ上には、色彩の再現性が良好な高品質なカラー画像を形成することが可能となる。
【００３８】
図９は、本発明に係る有機ＥＬ表示装置を有機ＥＬ画像表示装置として構成した場合の一例を示している。本実施形態の有機ＥＬ表示装置Ａ４は、カラー画像を表示可能なものであり、有機ＥＬ発光パネル４０を備えている。
【００３９】
有機ＥＬ発光パネル４０は、基板１０Ｃ上に複数の有機ＥＬ発光部１１がマトリクス状に配置されたものである。これら基板１０Ｃおよび複数の有機ＥＬ発光部１１の基本的な構成は、図１に示したものと同様である。したがって、やはり基板１０Ｃは、光吸収剤が分散混入されており、所定の周波数域の光を吸収可能となっている。この基板１０Ｃ上には、複数の有機ＥＬ発光部１１を覆ってこれらを保護する封止ケース４３が設けられている。この有機ＥＬ発光パネル４０では、互いに隣接する赤色発光部１１Ｒ、緑色発光部１１Ｇ、および青色発光部１１Ｂの計３つの発光部により１画像が構成されており、目的とする発光部を選択的に発光させ、またそれらの発光部の発光強度を選択することにより、所望の画像を表示することが可能となっている。基板１０Ｃ上には、複数の陰極１４に導通接続された駆動ＩＣ３４Ａが搭載されており、この駆動ＩＣ３４Ａが上記したような複数の有機ＥＬ発光部１１を選択的に駆動させる役割を果たす。
【００４０】
この有機ＥＬ表示装置Ａ４においては、有機ＥＬ発光パネル４０から赤色、緑色、および青色の光が面状に発せられ、この点が先に述べた有機ＥＬプリントヘッドＡ３とは相違する。ただし、やはりそれらの光が基板１０Ｃを透過する際には、赤色光と緑色光との中間波長域Ｓ１、および緑色光と青色光との中間波長域Ｓ２の光が吸収される。この作用により、基板１０Ｃを透過する光は、半値幅が小さく、赤色、緑色、および青色の純度が高いものとなるため、画質の優れたカラー画像表示が可能となる。
【００４１】
なお、図５〜図８に示した有機ＥＬプリントヘッドＡ３、および図９に示した有機ＥＬ表示装置Ａ４については、図１に示した実施形態の有機ＥＬ発光装置Ａ１について述べたのと同様な設計変更が可能である。また、基板１０Ｂ，１０Ｃに光吸収剤を分散混入させる手段に代えて、図４に示した有機ＥＬ発光装置Ａ２において用いられているのと同様な光吸収手段を用いることも可能である。
【００４２】
本発明は、赤色、緑色、および青色の３色の光を出射する有機ＥＬ発光装置に限らず、それらのうちの２色の光、あるいは１色のみの光を出射する有機ＥＬ発光装置にも適用することが可能である。たとえば、モノクロ用のプリントヘッド、あるいはモノクロの画像表示装置を構成する場合においても、画像形成に用いられる光の純度を高くすれば、やはりプリント画像または表示画像の質を高めることが可能である。
【図面の簡単な説明】
【００４３】
【図１】本発明に係る有機ＥＬ発光装置の基本構造の一例を示す要部断面図である。
【図２】（ａ）は、有機ＥＬ発光部において発生する光の発光スペクトルの一例を示すグラフであり、（ｂ）は、（ａ）に示した発光スペクトルを合成した状態を示すグラフである。
【図３】図１に示す有機ＥＬ発光装置によって最終的に得られる光の発光スペクトルの一例を示すグラフである。
【図４】本発明に係る有機ＥＬ発光装置の基本構造の他の例を示す要部断面図である。
【図５】本発明を有機ＥＬプリントヘッドに適用した場合の一例を示す全体斜視図である。
【図６】図５に示す有機ＥＬプリントヘッドの分解斜視図である。
【図７】図５のVII−VII断面図である。
【図８】図５に示す有機ＥＬプリントヘッドにおける有機ＥＬプリントヘッド基板の要部を示す斜視図である。
【図９】本発明を有機ＥＬ表示装置に適用した場合の一例を示す一部破断斜視図である。
【符号の説明】
【００４４】
Ａ１，Ａ２      有機ＥＬ発光装置
Ａ３            有機ＥＬプリントヘッド（有機ＥＬ発光装置）
Ａ４            有機ＥＬ表示装置（有機ＥＬ発光装置）
１０，１０Ａ    基板（光吸収手段）
１１            有機ＥＬ発光部
１１Ｒ          赤色発光部
１１Ｇ          緑色発光部
１１Ｂ          青色発光部
２１            第１の光吸収層（光吸収手段）
２２            第２の光吸収層（光吸収手段）
【図１】
2006310075.tif 000003
【図２】
2006310075.tif 000004
【図３】
2006310075.tif 000005
【図４】
2006310075.tif 000006
【図５】
2006310075.tif 000007
【図６】
2006310075.tif 000008
【図７】
2006310075.tif 000009
【図８】
2006310075.tif 000010
【図９】
2006310075.tif 000011